(57)【要約】【課題】電源の点けっ放しによる電力の消費を抑制することのできるテレビジョン装置を提供すること。【解決手段】本発明のテレビジョン装置は、テレビジョン放送信号を受信する受信手段と、受信手段により受信されたテレビジョン放送信号によって放映される番組を表示する画像表示手段とを備えるテレビジョン装置であって、放映中の番組の放映終了を検出する番組終了検出部６１３と、番組終了検出部６１３により前記番組の放映終了が検出されると、視聴続行を指示する入力を促す確認ダイアログをディスプレイ上に表示する確認ダイアログ表示部６１５と、視聴続行を指示する入力がない場合、テレビジョン装置の電源を強制的に遮断する電源オフ信号を出力する電源遮断部６１６とを備えている。【選択図】図２
2007036557.tif 000002
【特許請求の範囲】
【請求項１】
テレビジョン放送信号を受信する受信手段と、前記受信手段により受信されたテレビジョン放送信号によって放映される番組を表示する画像表示手段とを備えるテレビジョン装置であって、
放映中の番組の放映終了を検出する番組終了検出手段と、
前記番組終了検出手段により前記番組の放映終了が検出されると、視聴続行を指示する入力を促す視聴確認手段と、
視聴続行を指示する入力がない場合、前記テレビジョン装置の電源を強制的に遮断する電源遮断手段とを備えていることを特徴とするテレビジョン装置。
【請求項２】
請求項１に記載のテレビジョン装置において、
所定の時間帯外では、前記視聴確認手段による視聴続行を指示する入力を促す動作を規制する視聴確認規制手段とを備えていることを特徴とするテレビジョン装置。
【請求項３】
請求項１または請求項２に記載のテレビジョン装置であって、
テレビジョン放送信号に併せて搬送される電子番組情報を受信する電子番組情報受信手段と、
現在の時刻を計時する計時手段とを備え、
前記番組終了検出手段は、
前記電子番組情報受信手段により受信された電子番組情報から、放映中の番組の放映終了時刻を取得する放映終了時刻取得部と、
前記計時手段により計時される時刻を監視し、前記放映終了時刻取得部により取得された放映終了時刻に達したか否かを判定する終了時刻判定部とを備えていることを特徴とするテレビジョン装置。
【請求項４】
請求項１または請求項２に記載のテレビジョン装置であって、
前記テレビジョン放送信号はデジタルテレビジョン放送信号であり、
前記番組終了検出手段は、
前記受信手段により受信されたデジタルテレビジョン放送信号から、放映中の番組の種別を識別させるための番組フラグを取得する番組フラグ抽出部と、
前記番組フラグ抽出部により取得された番組フラグに基づいて、放映中の番組が終了されたか否かを判定する番組フラグ判定部とを備えていることを特徴とするテレビジョン装置。
【発明の詳細な説明】
【技術分野】
【０００１】
本発明は、テレビジョン装置に関する。
【背景技術】
【０００２】
例えば、深夜に、テレビジョン装置を視聴していると、いつのまにか眠ってしまうことがある。このとき、電源が投入されたままのテレビジョン装置は、視聴されずに長時間放置されるため、電力が無駄に消費されてしまう。
このような事態に対し、ユーザの視聴状況を判断し、ユーザが視聴していないと判断すると自動的に省電力モードに切換えたり、電源を遮断したりするテレビジョン装置が知られている（例えば、特許文献１参照）。
【０００３】
特許文献１に記載のテレビジョン受信機は、テレビジョン放送信号に併せて配信されるＥＰＧ（Electronic Program Guide）情報を受信し、このＥＰＧ情報を基に、受信中のテレビジョン放送信号がテレビ番組を配信しているか、すなわち、選局中のチャンネルがテレビ番組を提供しているかどうかを判定する。そして、選局中のチャンネルがテレビ番組を提供してないと判定された場合、当該テレビジョン受信機は、ユーザは視聴していないと判断し、所定時間経過後に省電力モードへの切換を行う。
【０００４】
【特許文献１】特開２００２−１６８５４号公報
【発明の開示】
【発明が解決しようとする課題】
【０００５】
しかしながら、近年のテレビ番組の放映状況によると、特許文献１に記載のテレビジョン受信機では、次のような課題が生じる。
近年、各放送局は、テレビ番組を２４時間休まずに放映していることが多い。すなわち、このような放映状況では、テレビジョン放送信号は常にテレビ番組を提供していることになる。従って、特許文献１に記載のテレビジョン受信機は、実際にはユーザが眠ってしまっている場合でも、テレビ番組はユーザに視聴されていると判断してしまう。従って、近年のテレビ番組の放映状況下では、特許文献１に記載のテレビジョン受信機は、電源が投入されたまま放置される恐れがあり、前述した電源の点けっ放しによる電力浪費の課題を十分に解決しているとは言えない。
【０００６】
本発明の目的は、電源の点けっ放しによる電力の消費を抑制することのできるテレビジョン装置を提供することである。
【課題を解決するための手段】
【０００７】
前記した目的を達するために、本発明のテレビジョン装置は、テレビジョン放送信号を受信する受信手段と、前記受信手段により受信されたテレビジョン放送信号によって放映される番組を表示する画像表示手段とを備えるテレビジョン装置であって、放映中の番組の放映終了を検出する番組終了検出手段と、前記番組終了検出手段により前記番組の放映終了が検出されると、視聴続行を指示する入力を促す視聴確認手段と、視聴続行を指示する入力がない場合、前記テレビジョン装置の電源を強制的に遮断する電源遮断手段とを備えていることを特徴とする。
【０００８】
本発明によれば、視聴確認手段は、放映中の番組が終了すると、ユーザに対し視聴続行を指示する入力を促して、視聴を続行するか否かの視聴確認を行う。この視聴確認手段による視聴確認に対し、居眠りしていたりテレビジョン装置の周囲に居なかったりと、ユーザがテレビジョン装置を視聴していない状態にあった場合、視聴続行を指示する入力は行われないことになる。この場合、電源遮断手段は、テレビジョン装置の電源を自動的に遮断する。
従って、本発明のテレビジョン装置は、電源が投入されたまま視聴されずに放置されても、放映中の番組が終了すると自動的に電源が遮断するので、無駄な浪費を抑制することができる。
【０００９】
さらに、本発明によれば、番組の放映終了に応じて視聴確認が行われる。すなわち、本発明のテレビジョン装置は、テレビ番組が放映されていても、居眠りなどユーザが視聴していない場合を想定して視聴確認を行うため、例えば、昼間などテレビ番組が休止されない時間帯や、深夜でもテレビ番組の放映を休止しないチャンネルが選局されている場合でも、電力の浪費抑止に努めることができる。
そして、本発明によれば、番組の放映終了に応じて視聴確認が行われることから、少なくとも、放映していた番組の視聴を妨害することはない。
【００１０】
本発明では、所定の時間帯外では、前記視聴確認手段による視聴続行を指示する入力を促す動作を規制する視聴確認規制手段とを備えていることが好ましい。
本発明によれば、例えば、長時間の視聴を行いがちな昼間や夜間（１８時〜２３時）を所定時間帯外に設定しておくことで、ユーザは、昼間や夜間に長時間視聴していても、番組が終了するたびに視聴確認を受けることはない。すなわち、本発明のテレビジョン装置は、ユーザの生活リズムに合わせて視聴確認を行うため、ユーザの視聴環境を快適に保つことができる。
【００１１】
本発明では、テレビジョン放送信号に併せて搬送される電子番組情報を受信する電子番組情報受信手段と、現在の時刻を計時する計時手段とを備え、前記番組終了検出手段は、前記電子番組情報受信手段により受信された電子番組情報から、放映中の番組の放映終了時刻を取得する放映終了時刻取得部と、前記計時手段により計時される時刻を監視し、前記放映終了時刻取得部により取得された放映終了時刻に達したか否かを検出する終了時刻判定部とを備えていることが好ましい。
【００１２】
電子番組情報とは、テレビジョン放送信号により放映される番組の番組情報（放送開始時刻、放送終了時刻、タイトル、内容等）が含まれたものである。電子番組情報として、例えば、ＥＰＧ（Electronic Program Guide）情報が挙げられる。
【００１３】
本発明によれば、放映終了時刻取得部は、放映中の番組の放映終了時刻を、予め電子番組情報から取得しておく。さらに、終了時刻判定部は、計時手段により計時される現在時刻が放映終了時刻に達すると、放映中の番組が終了したと判断する。さらに、番組の放映中にチャンネルが変更されても、放映終了時刻取得部は、その都度、選局されたチャンネルで放映されている番組の放映終了時刻を電子番組情報から取得する。
このように、番組の放映終了時刻は、必要に応じて、放映終了時刻取得部により電子番組情報から取得される。従って、本発明のテレビジョン装置では、放映終了時刻をユーザの手入力等により設定する必要はなく、ユーザに対し手間を要することがない。
【００１４】
本発明では、前記テレビジョン放送信号はデジタルテレビジョン放送信号であり、前記番組終了検出手段は、前記受信手段により受信されたデジタルテレビジョン放送信号から、放映中の番組の種別を識別させるための番組フラグを取得する番組フラグ抽出部と、前記番組フラグ抽出部により取得された番組フラグに基づいて、放映中の番組が終了されたか否かを判定する番組フラグ判定部とを備えていることが好ましい。
【００１５】
番組フラグとは、デジタルテレビジョン放送信号に含まれる付加データの１つであり、デジタルテレビジョン放送信号により放映中の番組の種別を識別させるためのものである。各放送局は、同放送日、同チャンネル、同番組において、同一の番組フラグをテレビジョン放送信号に併せて配信している。
【００１６】
本発明によれば、番組フラグ抽出部は、デジタルテレビジョン放送信号から番組フラグを定期的に抽出する。そして、番組フラグ判定部は、抽出された番組フラグが、前回抽出された番組フラグと異なるか否かを判定する。そして、抽出される番組フラグが変化した場合、番組フラグ判定部は、デジタルテレビジョン放送信号により放映されている番組が切換えられた、すなわち、前に放映されていた番組が終了したと判断する。
このように、本発明では、受信中のデジタルテレビジョン放送信号に含まれる番組フラグから番組の放映終了を検出するため、番組の延長などによる急な放送予定の変更を考慮する必要はない。従って、本発明のデジタルテレビジョン装置は、放送予定の変更に臨機応変に対応して視聴確認を行うことができる。
【発明を実施するための最良の形態】
【００１７】
以下、本発明の実施形態を、図を用いて説明する。なお、各実施形態の説明にあたって、同一構成要件については、同一符号を付し、その説明を省略する。
＜第１実施形態＞
本発明の第１実施形態を、図１〜図５を用いて説明する。
〔１．テレビジョン装置１の構成〕
〔1-1．テレビジョン装置１の概略構成〕
図１は、本実施形態のテレビジョン装置１の内部構成を示すブロック図である。
本実施形態のテレビジョン装置１は、図１に示すように、装置本体２と、この装置本体２を遠隔操作するリモートコントローラ３とを備えている。
装置本体２の筐体外面には、テレビジョン画像が表示されるディスプレイ（図示省略）が設けられている。
リモートコントローラ３は、複数の操作キーを備え、ユーザにより操作キーが押下されると、当該入力キーに応じた操作信号を赤外線により装置本体２に送信する。操作信号として、テレビジョン装置１の電源を投入するための電源オン信号、および、テレビジョン放送信号のチャンネルを選局するためのチャンネル切換信号等が挙げられる。
なお、リモートコントローラ３は、赤外線によって操作信号を送信するとしたが、電波によって操作信号を送信するように構成してもよい。
【００１８】
〔1-2．装置本体２の内部構成〕
装置本体２は、アンテナ１１を介して受信されるテレビジョン放送信号から画像情報および音声情報を取得し、当該画像情報に応じたテレビジョン画像を形成、表示するとともに、当該音声情報に応じた音声を出力する。また、装置本体２は、テレビジョン放送信号に併せて搬送されるＥＰＧ（Electronic Program Guide）情報を受信する。なお、ＥＰＧ情報は、本発明の電子番組情報に相当する
装置本体２は、画像表示手段４と、電源回路５と、制御基板６とを備えている。
【００１９】
このうち、画像表示手段４は、後述する画像出力部６５４から出力された画像信号に基づく表示画像を、ディスプレイ上に表示画面として表示するものである。
電源回路５は、後述する電源回路駆動部６７から出力される信号に応じて、電源ケーブル（図示省略）を通して外部から供給された電力を、画像表示手段４および制御基板６等に供給するものである。
【００２０】
〔1-3．制御基板６の構成〕
制御基板６は、装置本体２を制御する回路基板として構成されている。制御基板６は、図１に示すように、ＣＰＵ（Central Processing Unit）６１と、メモリ６２と、チューナ６３と、デマルチプレクサ６４と、画像情報処理部６５と、ＥＰＧ情報処理部６６と、電源回路駆動部６７と、タイマ６８と、信号インターフェイス（信号Ｉ／Ｆ）６９とを備えている。
【００２１】
このうち、チューナ６３は、アンテナ１１を介して受信されるテレビジョン放送信号のうち、ＣＰＵ６１の制御に基づく周波数のテレビジョン放送信号を選択して受信している。そして、チューナ６３は、受信されたテレビジョン放送信号を、一定周波数の信号に変換してデマルチプレクサ６４に出力する。チューナ６３は、本発明の受信手段および電子番組情報受信手段に相当する。
デマルチプレクサ６４は、チューナ６３により変換された信号から、画像情報、音声情報、および、ＥＰＧ情報を分離、抽出する。これらのうち、画像情報は、画像情報処理部６５に出力され、ＥＰＧ情報は、ＥＰＧ情報処理部６６に出力される。また、音声情報は、図示を省略するが、音声情報処理部で処理され、スピーカを介して当該音声情報に応じた音声として出力される。
【００２２】
画像情報処理部６５は、デマルチプレクサ６４から出力された画像情報に対して、画像処理および描画処理を行う。画像情報処理部６５は、画像処理部６５１と、描画処理部６５２と、バッファ６５３と、画像出力部６５４とを備えている。
画像処理部６５１は、デマルチプレクサ６４から出力された画像情報を、画像表示手段４の仕様に適応する１フレーム毎の画像情報に変換して描画処理部６５２に出力する。
描画処理部６５２は、画像処理部６５１から出力された画像情報に対し、ＣＰＵ６１から出力される制御命令に応じて、画像サイズの調整や表示位置の調整、ディスプレイ上に表示される画像の形成等を行い、バッファ６５３に１フレームの表示画像として出力する。
画像出力部６５４は、バッファ６５３内に格納された表示画像を読取り、画像信号として画像表示手段４に出力する。
【００２３】
ＥＰＧ情報処理部６６は、デマルチプレクサ６４から出力されたＥＰＧ情報から番組テーブルを生成し、メモリ６２内の番組テーブル記録領域６２１に記録する。本実施形態では、ＥＰＧ情報には、テレビジョン放送信号により放映される一週間分の番組の番組情報（放映日、放映開始時刻、放映終了時刻、チャンネル、タイトル、番組内容、ジャンル等）が含まれている。
【００２４】
番組テーブルとは、テレビジョン放送信号により放映される番組およびその番組情報を、テーブルの一軸を放映日時、他軸をチャンネルとして配列させたものである。
なお、ＥＰＧ情報処理部６６は、定期的に新しいＥＰＧ情報を取得しており、取得されたＥＰＧ情報から生成される番組テーブルに基づいて、番組テーブル記録領域６２１に記録されている前回の番組テーブルを更新する。すなわち、メモリ６２内の番組テーブル記録領域６２１には、最新の番組テーブルが記録されていることとなる。
【００２５】
電源回路駆動部６７は、ＣＰＵ６１から出力される制御命令に従って、電源回路５を駆動させるための信号を電源回路５に出力する。例えば、ＣＰＵ６１から電源オフ命令が出力されると、電源回路駆動部６７は、電源回路５を駆動させて、テレビジョン装置１への電力の供給を中止させる。
タイマ６８は、本発明の計時手段に相当し、現在の時刻を計時するとともに、カレンダ機能を備え、現在の年、月、日、曜日等を観測することができる。
信号Ｉ／Ｆ６９は、リモートコントローラ３から送信された赤外線の操作信号を受信し、デジタル形式の電気信号に変換してＣＰＵ６１に出力する。
【００２６】
メモリ６２には、ＣＰＵ６１によって処理されるプログラムや各種データが格納される。格納されるプログラムおよび各種データとして、例えば、テレビジョン装置制御プログラム、視聴確認プログラム、前述した番組テーブル、および、後述する解除時間帯のデータ等が挙げられる。
なお、解除時間帯とは、後述する視聴確認処理部６１２による視聴確認処理の実行が許可される時間帯である。解除時間帯は、解除開始時刻および解除終了時刻とがユーザにより予め入力されることにより設定される。
さらに、メモリ６２は、番組テーブル記録領域６２１を備え、番組テーブル記録領域６２１には、ＥＰＧ情報処理部６６により処理された番組テーブルが格納される。
【００２７】
〔1-4.ＣＰＵの機能的構成〕
図２は、ＣＰＵ６１の機能的構成を示すブロック図である。
ＣＰＵ６１は、制御基板６全体の駆動を制御するものであり、メモリ６２からテレビジョン装置制御プログラムを読み込んで実行し、制御基板６を構成する各処理部６３〜６７に制御命令を出力する。さらに、ＣＰＵ６１は、必要に応じて、視聴確認プログラムに基づく視聴確認処理を実行する。
ＣＰＵ６１は、入力信号検出部６１１と、視聴確認処理を実行する視聴確認処理部６１２とを備えている。
入力信号検出部６１１は、リモートコントローラ３から信号Ｉ／Ｆ６９を介して入力される操作信号や、制御基板６上の各処理部６３〜６７から出力され、バスを介して受信される信号を検出する。
【００２８】
視聴確認処理部６１２は、メモリ６２に記録された視聴確認プログラムに従って視聴確認処理を実行する。視聴確認処理部６１２は、番組終了検出手段としての番組終了検出部６１３と、視聴確認規制手段としての視聴確認規制部６１４と、視聴確認手段としての確認ダイアログ表示部６１５と、電源遮断手段としての電源遮断部６１６とを備えている。
番組終了検出部６１３は、現在テレビジョン装置１で放映されている番組（放映番組）の放映終了を監視・検出する。番組終了検出部６１３は、時刻チャンネル取得部６１３１と、放映終了時刻取得部６１３２と、タイマセット部６１３３とを備えている。
【００２９】
時刻チャンネル取得部６１３１は、タイマ６８から現在時刻を取得し、チューナ６３から受信中のテレビジョン放送信号のチャンネル、すなわち、放映番組のチャンネルを取得する。
放映終了時刻取得部６１３２は、放映番組の放映終了時刻を、番組テーブルから取得する。
具体的には、放映終了時刻取得部６１３２は、時刻チャンネル取得部６１３１により取得された現在時刻、および、放映番組のチャンネルに基づいて、メモリ６２内の番組テーブル記録領域６２１に記録された番組テーブルを探索する。そして、放映終了時刻取得部６１３２は、番組テーブルに記録されている放映番組の番組情報から、放映番組の放映終了時刻を読取る。
【００３０】
タイマセット部６１３３は、放映終了時刻取得部６１３２により取得された放映番組の放映終了時刻をタイマセットし、タイマ６８により計時される現在時刻を監視して、現在時刻が、タイマセットされた放映終了時刻に達したか否かを判定する。すなわち、タイマセット部６１３３は、本発明の終了時刻判定部に相当する。
現在時刻が放映番組の放映終了時刻に達すると、タイマセット部６１３３は、放映番組終了の連絡を視聴確認規制部６１４に出力する。
【００３１】
視聴確認規制部６１４は、現在の時刻に応じて視聴確認処理の実行を規制する。
具体的には、視聴確認規制部６１４は、放映番組終了の連絡を受信すると、タイマ６８により計時される現在時刻、および、メモリ６２に記録された解除時間帯を基に、現在の時刻が解除時間帯内か、または、解除時間帯外かを判定する。
現在時刻が解除時間帯内である場合、視聴確認規制部６１４は、視聴確認実行の連絡を確認ダイアログ表示部６１５に出力する。
【００３２】
確認ダイアログ表示部６１５は、視聴確認規制部６１４から出力される視聴確認実行の連絡を受信すると、確認ダイアログをディスプレイ上に表示させるための制御命令を、バスを介して描画処理部６５２に出力する。
なお、確認ダイアログとは、テレビの視聴を続行するか否かをユーザに判断させ、視聴続行の場合には、リモートコントローラ３上のいずれかの操作キーの押下を促す表示画像である。確認ダイアログは、テレビジョン画像上に重畳表示される。
【００３３】
電源遮断部６１６は、確認ダイアログに対するユーザの反応、すなわち、操作キーが押下されたか否かに応じて、テレビジョン装置１の現状維持、または、電源遮断を実行する。電源遮断部６１６は、キー入力待機部６１６１と、電源遮断制御部６１６２とを備えている。
【００３４】
キー入力待機部６１６１は、タイマ６８を用いて放映終了時刻からの経過時間を計測している。そして、キー入力待機部６１６１は、放映終了時刻から所定時間が経過する前に、入力信号検出部６１１が何らかの操作信号を検出したか否かを判定している。なお、この所定時間は、ユーザにより予め設定されているものである。
入力信号検出部６１１により操作信号が検出されないまま所定時間が経過した場合、キー入力待機部６１６１は、電源遮断制御部６１６２に、操作信号未検出の連絡を出力する。
電源遮断制御部６１６２は、キー入力待機部６１６１から出力される操作信号未検出の連絡を受信すると、電源オフの制御命令を、バスを介して電源回路駆動部６７に出力する。
【００３５】
〔２．制御基板６の作用〕
本実施形態に係る制御基板６の作用について、図３〜図５を用いて説明する。制御基板６は、メモリ６２に格納された視聴確認プログラムに従って、視聴確認処理を行う。
図３は、視聴確認処理を説明するためのフロー図である。
ＣＰＵ６１において、入力信号検出部６１１は、リモートコントローラ３から出力される操作信号を監視しており、電源オン信号を検出したか否かを判定している（Ｓ１）。
電源オン信号を検出しない場合、入力信号検出部６１１は、操作信号の監視を続行する。
一方、電源オン信号を検出した場合、視聴確認処理部６１２の番組終了検出部６１３を構成する時刻チャンネル取得部６１３１は、タイマ６８から現在時刻、チューナ６３から現在受信中のテレビジョン放送信号のチャンネルを取得する（Ｓ２）。
【００３６】
放映終了時刻取得部６１３２は、処理Ｓ２で取得された時刻およびチャンネルに基づいて、メモリ６２内の番組テーブル記録領域６２１に記録された番組テーブルを探索する。
図４は、番組テーブル記録領域６２１に記録された番組テーブル７を説明するための模式図である。放映終了時刻取得部６１３２は、番組テーブル７内において、処理Ｓ２で取得された時刻およびチャンネルに相当する放映番組Ｐを探索し、放映番組Ｐに付随された番組情報７１から放映番組Ｐの放映終了時刻７１１を取得する（Ｓ３）。
タイマセット部６１３３は、処理Ｓ３で取得された放映番組の放映終了時刻をタイマセットし、タイマ６８により計時される現在時刻を監視する（Ｓ４）。
【００３７】
一方、入力信号検出部６１１は、リモートコントローラ３から出力される操作信号を監視しており、チャンネル切換信号を検出したか否かを判定している（Ｓ５）。
チャンネル切換信号を検出した場合、ＣＰＵ６１は、チャンネル切換信号に基づいたチャンネル切換の制御命令を、チューナ６３に出力する。すると、チューナ６３は、チャンネル切換の制御命令に従って、受信されるテレビジョン放送信号のチャンネルを切換える（Ｓ６）。
その後、処理Ｓ２に戻り、時刻チャンネル取得部６１３１は、タイマ６８から現在時刻、チューナ６３から現在受信中のテレビジョン放送信号のチャンネルを取得する。
【００３８】
一方、チャンネル切換信号を検出しない場合、タイマセット部６１３３は、タイマ６８により計時される現在時刻の監視を続行する。そして、タイマセット部６１３３は、タイマ６８により計時される現在時刻が、処理Ｓ４でタイマセットされた放映終了時刻に達したか否かを判定する（Ｓ７）。
現在時刻が放映終了時刻に達していない場合、処理Ｓ５に戻り、入力信号検出部６１１は、操作信号の監視を行う。
一方、現在時刻が放映終了時刻に達した場合、視聴確認規制部６１４は、メモリ６２に記録されている解除時間帯を読取り、タイマ６８により計時される現在時刻が、解除時間帯内であるか否かを判定する（Ｓ８）。
【００３９】
現在時刻が解除時間帯外であると判定された場合、処理Ｓ２に戻り、時刻チャンネル取得部６１３１は、現在時刻、および、放映番組のチャンネルを取得する。
一方、現在時刻が解除時間帯内であると判定された場合、確認ダイアログ表示部６１５は、確認ダイアログを表示させるための制御命令を描画処理部６５２に出力する。すると、描画処理部６５２は、制御命令に従って確認ダイアログ画像を形成し、テレビジョン放送信号に基づくテレビジョン画像に合成する。そして、画像出力部６５４は、確認ダイアログ画像が合成されたテレビジョン画像を、画像表示手段４に出力する（Ｓ９）。
【００４０】
図５は、ディスプレイ２１上に表示された確認ダイアログ８を説明するための模式図である。確認ダイアログ８は、図５に示すように、テレビジョン画像９の中央の一部領域に重畳表示される。確認ダイアログ８は、ユーザに対し視聴続行ならば操作キーを押下するよう促すとともに、操作キーの押下がなければ、テレビジョン装置１の電源を遮断する旨を通告するメッセージを表示している。
【００４１】
電源遮断部６１６を構成するキー入力待機部６１６１は、タイマ６８を用いて、放映終了時刻からの経過時間の計測を開始する。そして、キー入力待機部６１６１は、入力信号検出手段６１１を監視し、入力信号検出手段６１１が操作信号を検出したか否かを判定する（Ｓ１０）。
入力信号検出手段６１１が操作信号を検出した場合、処理Ｓ２に戻り、時刻チャンネル取得部６１３１は、現在時刻、および、放映番組のチャンネルを取得する。
【００４２】
一方、入力信号検出手段６１１が操作信号を検出しない場合、キー入力待機部６１６１は、放映終了時刻からの経過時間が所定時間を経過したか否かを判定する（Ｓ１１）。
放映終了時刻からの経過時間が所定時間を経過していない場合、キー入力待機部６１６１は、処理Ｓ１０に戻り、経過時間の計測、および、入力信号検出部６１１による操作信号検出の監視を続行する。
一方、経過時間が所定時間を経過した場合、電源遮断制御部６１６２は、電源オフ命令を、電源回路駆動部６７に出力する。すると、電源回路駆動部６７は、電源オフ命令に従って電源回路５を駆動し、テレビジョン装置１の電源を遮断する（Ｓ１２）。
【００４３】
本実施形態によれば、確認ダイアログ表示部６１５は、放映中番組が終了すると、確認ダイアログ８（図５）をディスプレイ２１上に表示させて、ユーザに対し視聴続行ならば操作キーの入力を促す。この確認ダイアログ表示部６１５による視聴確認に対し、居眠りしていたりテレビジョン装置１の周囲に居なかったりと、ユーザがテレビジョン装置１を視聴していない状態にあった場合、操作キーの入力は行われないことになる。この場合、電源遮断制御部６１６２は、テレビジョン装置１の電源を遮断するための電源オフ命令を出力し、テレビジョン装置１の電源が遮断される。
従って、本実施形態のテレビジョン装置１は、電源が投入されたまま視聴されずに放置されても、放映中番組が終了すると自動的に電源が遮断するので、無駄な浪費を抑制することができる。
【００４４】
さらに、番組の放映終了に応じて視聴確認が行われる。すなわち、本実施形態のテレビジョン装置１は、テレビ番組が放映されていても、居眠りなどユーザが視聴していない場合を想定して視聴確認を行うため、例えば、昼間などテレビ番組が休止されない時間帯や、深夜でもテレビ番組の放映を休止しないチャンネルが選局されている場合でも、電力の浪費抑止に努めることができる。
そして、本実施形態によれば、番組の放映終了に応じて視聴確認が行われることから、少なくとも、放映していた番組の視聴を妨害することはない。
【００４５】
そして、例えば、長時間の視聴を行いがちな昼間や夜間（１８時〜２３時）を所定時間帯外に設定しておくことで、ユーザは、昼間や夜間に長時間視聴していても、番組が終了するたびに視聴確認を受けることはない。すなわち、本実施形態のテレビジョン装置１は、ユーザの生活リズムに合わせて視聴確認を行うため、ユーザの視聴環境を快適に保つことができる。
【００４６】
また、放映終了時刻取得部６１３２は、放映中番組の放映終了時刻を、予め番組テーブルから取得しておく。さらに、タイマセット部は、タイマ６８により計時される現在時刻が放映終了時刻に達すると、放映中番組が終了したと判断する。なお、番組の放映中にチャンネルが変更されても、放映終了時刻取得部６１３２は、その都度、選局されたチャンネルで放映されている放映番組の放映終了時刻を番組テーブルから取得する。
このように、番組の放映終了時刻は、必要に応じて、放映終了時刻取得部６１３２により番組テーブルから取得される。従って、本実施形態のテレビジョン装置１では、放映終了時刻をユーザの手入力等により設定する必要はなく、ユーザに対し手間を要することがない。
【００４７】
＜第２実施形態＞
本発明の第２実施形態を、図６および図７を用いて説明する。
本実施形態に係るテレビジョン装置１は、デジタルテレビジョン放送信号に含まれる番組フラグを用いて、番組の放映終了時刻を検出する。すなわち、本実施形態に係るテレビジョン装置１は、デジタルテレビジョン放送信号を受信している。
なお、本実施形態に係るテレビジョン装置１は、第１実施形態と同様にＥＰＧ情報を受信していてもよく、また、受信していなくてもよい。すなわち、テレビジョン装置１は、ＥＰＧ情報処理部６６（図１）および番組テーブル記録領域６２１（図１）を、必須の構成要件としていない。
【００４８】
〔１．ＣＰＵ６１Ａの機能的構成〕  
図６は、本実施形態に係るＣＰＵ６１Ａの機能的構成を説明するためのブロック図である。
ＣＰＵ６１Ａは、第１実施形態に係るＣＰＵ６１（図２）に対し、番組終了検出部６１７の機能的構成が異なる。
番組終了検出部６１７は、チューナ６３により受信されたデジタルテレビジョン放送信号に含まれる番組フラグに基づいて、放映番組の放映終了時刻を検出する。番組終了検出部６１７は、番組フラグ抽出部６１７１と、番組フラグ判定部６１７２とを備えている。
【００４９】
ここで、番組フラグについて説明する。
デジタルテレビジョン放送信号は、１フレームのデータを格納する領域として、ヘッダ領域と、コンテンツ格納領域とを備えている。ヘッダ領域には、データ構造や番組の種別等を識別するための付加データが格納され、コンテンツ格納領域には、番組を構成する画像コンテンツおよび音声コンテンツが格納される。
ヘッダ領域に格納される付加データとして、番組の番組フラグ、放映開始時刻、放映終了時刻、および、チャンネル等がある。このうち、番組フラグは、例えば番組ＩＤのような、放映中の番組を他の番組と識別可能とするための識別子である。各放送局は、同放送日、同チャンネル、同番組において、同一の番組フラグをデジタルテレビジョン放送信号に併せて配信している。すなわち、デジタルテレビジョン放送信号を受信する受信装置は、１フレーム毎に受信される番組フラグに基づいて、放映中の番組を特定することができる。
【００５０】
番組フラグ抽出部６１７１は、チューナ６３より受信されたデジタルテレビジョン放送信号のヘッダ領域を探索し、ヘッダ領域に格納されている番組フラグを抽出する。
番組フラグ判定部６１７２は、番組フラグ抽出部６１７１により抽出された番組フラグ（抽出番組フラグ）が、メモリ６２に記録されている番組フラグ（記録番組フラグ）と異なるか否かを判定する。なお、この記録番組フラグとは、今回より先のフレームで番組フラグ抽出部６１７１により抽出され、メモリ６２に記録されていたものである。
【００５１】
抽出番組フラグが記録番組フラグと異なる場合、番組フラグ判定部６１７２は、入力信号検出部６１１により、チャンネル切換信号が検出されたか否かを判定する。チャンネル切換信号が検出されている場合、番組フラグ判定部６１７２は、チャンネルの切換により受信中の番組が変更され、そのために異なる番組フラグが抽出されたと判断する。
一方、チャンネル切換信号が検出されていない場合、番組フラグ判定部６１７２は、抽出番組フラグがＣＭ（Commercial）フラグであるか否かを判定する。抽出番組フラグがＣＭフラグであると判定された場合、番組フラグ判定部６１７２は、受信中のデジタルテレビジョン放送信号によりＣＭが放映されていると判断する。
【００５２】
抽出番組フラグがＣＭフラグではない場合、番組フラグ判定部６１７２は、デジタルテレビジョン放送信号により以前とは別の番組が放映されていると判断する。すなわち、番組フラグ判定部６１７２は、これまで放映されていた番組が終了したと判断し、放映番組終了の連絡を視聴確認規制部６１４に出力する。
【００５３】
〔２．制御基板６の作用〕
本実施形態に係る制御基板６の作用について、図７を用いて説明する。制御基板６は、第１実施形態と同様に、メモリ６２に格納された視聴確認プログラムに従って、視聴確認処理を行う。
図７は、本実施形態に係る視聴確認処理を説明するためのフロー図である。
ＣＰＵ６１において、入力信号検出部６１１は、リモートコントローラ３から出力される操作信号を監視しており、電源オン信号を検出したか否かを判定している（ＳＡ１）。電源オン信号を検出しない場合、入力信号検出部６１１は、操作信号の監視を続行する。
一方、電源オン信号を検出した場合、視聴確認処理部６１２の番組終了検出部６１７を構成する番組フラグ抽出部６１７１は、チューナ６３により受信されたデジタルテレビジョン放送信号から番組フラグを抽出する（ＳＡ２）。そして、番組フラグ抽出部６１７１は、抽出された番組フラグをメモリ６２に記録する（ＳＡ３）。
【００５４】
次に、番組フラグ抽出部６１７１は、続けて受信されるデジタルテレビジョン放送信号から、再び番組フラグを抽出する（ＳＡ４）。
番組フラグ判定部６１７２は、処理ＳＡ４で抽出された番組フラグ（抽出番組フラグ）が、処理ＳＡ３でメモリ６２に記録された番組フラグ（記録番組フラグ）と同一であるか否かを判定する（ＳＡ５）。
抽出番組フラグが記録番組フラグと同一である場合、処理ＳＡ４に戻り、番組フラグ抽出部６１７１は、続いて受信されるデジタルテレビジョン放送信号から、番組フラグを抽出する。
【００５５】
一方、抽出番組フラグが記録番組フラグと異なる場合、番組フラグ判定部６１７２は、入力信号検出部６１１によりチャンネル切換信号が検出されたか否かを判定する（ＳＡ６）。
入力信号検出部６１１によりチャンネル切換信号が検出されていた場合、処理ＳＡ３に戻り、番組フラグ抽出部６１７１は、メモリ６２に記録されていた記録番組フラグを抽出番組フラグに書換える。
一方、入力信号検出部６１１によりチャンネル切換信号が検出されていない場合、番組フラグ判定部６１７２は、抽出番組フラグがＣＭフラグであるか否かを判定する（ＳＡ７）。
抽出番組フラグがＣＭフラグである場合、処理ＳＡ４に戻り、番組フラグ抽出部６１７１は、続けて受信されるデジタルテレビジョン放送信号から、番組フラグを抽出する。
【００５６】
一方、抽出番組フラグがＣＭフラグではない場合、視聴確認規制部６１４は、メモリ６２に記録されている解除時間帯を読取り、タイマ６８により計時される現在時刻が、解除時間帯内であるか否かを判定する（ＳＡ８）。
現在時刻が解除時間帯外であると判定された場合、処理ＳＡ３に戻り、番組フラグ抽出部６１７１は、メモリ６２に記録されていた記録番組フラグを抽出番組フラグに書換える。
【００５７】
一方、現在時刻が解除時間帯内であると判定された場合、確認ダイアログ表示部６１５は、確認ダイアログを表示させるための制御命令を描画処理部６５２に出力する。すると、第１実施形態と同様に、ディスプレイ２１には、テレビジョン画像９上に重畳された確認ダイアログ８（図５）が表示される。（ＳＡ９）。
【００５８】
電源遮断部６１６を構成するキー入力待機部６１６１は、タイマ６８を用いて、放映終了時刻からの経過時間の計測を開始する。そして、キー入力待機部６１６１は、入力信号検出手段６１１を監視し、入力信号検出手段６１１が操作信号を検出したか否かを判定する（ＳＡ１０）。
入力信号検出手段６１１が操作信号を検出した場合、処理ＳＡ３に戻り、番組フラグ抽出部６１７１は、メモリ６２に記録されていた記録番組フラグを抽出番組フラグに書換える。
【００５９】
一方、入力信号検出手段６１１が操作信号を検出しない場合、キー入力待機部６１６１は、放映終了時刻からの経過時間が所定時間を経過したか否かを判定する（ＳＡ１１）。
放映終了時刻からの経過時間が所定時間を経過していない場合、キー入力待機部６１６１は、処理ＳＡ１０に戻り、経過時間の計測、および、入力信号検出部６１１による操作信号検出の監視を続行する。
一方、放映終了時刻からの経過時間が所定時間を経過した場合、電源遮断制御部６１６２は、電源オフ命令を、電源回路駆動部６７に出力する。すると、電源回路駆動部６７は、電源オフ命令に従って電源回路５を駆動し、テレビジョン装置１の電源を遮断する（ＳＡ１２）。
【００６０】
本実施形態によれば、番組フラグ抽出部６１７１は、デジタルテレビジョン放送信号から番組フラグを定期的に抽出する。そして、番組フラグ判定部６１７２は、抽出された番組フラグが、前回抽出された番組フラグと異なるか否かを判定する。そして、抽出される番組フラグが変化した場合、番組フラグ判定部６１７２は、デジタルテレビジョン放送信号により放映されている番組が切換えられた、すなわち、前に放映されていた番組が終了したと判断する。
このように、本実施形態では、受信中のデジタルテレビジョン放送信号に含まれる番組フラグから番組の放映終了を検出するため、番組の延長などによる急な放送予定の変更を考慮する必要はない。従って、本実施形態のテレビジョン装置１は、放送予定の変更に臨機応変に対応して視聴確認を行うことができる。
【００６１】
＜前記実施形態の変形＞
本発明を実施するための最良の構成などは、以上の記載で開示されているが、本発明はこれに限定されるものではない。すなわち、前記実施形態は、本発明を限定するものではないから、それらの形状、材質などの限定の一部若しくは全部の限定を外した部材の名称での記載は、本発明に含まれるものである。
【００６２】
本発明では、テレビジョン装置として、フロントプロジェクタ、リアプロジェクタ、プラズマテレビ、液晶テレビ、および、ＣＲＴ（Cathode Ray Tube）方式テレビ等が挙げられる。すなわち、画像表示手段４として、液晶パネル、または、デジタル・マイクロミラー・デバイス（テキサスインスツルメント社商標）、ＰＤＰ（Plasma Display Panel）等を備える電気光学装置、および、ＣＲＴディスプレイ等が挙げられる。
【００６３】
さらに、本発明では、ディスプレイ上２１に表示される確認ダイアログ８（図５）のサイズ、表示形態、および表示位置は限定されるものではない。例えば、確認ダイアログ８を、ユーザが気づきやすいように、ディスプレイ２１上の一面に渡って表示させてもよく、または、確認ダイアログ８を、テレビジョン画像の視聴の邪魔にならないように、ディスプレイ２１の端部に小さく表示させてもよい。
【００６４】
前記各実施形態では、解除時間帯は、解除開始時刻と解除終了時刻とで設定されるとしたが、本発明では、解除時間帯を曜日別に設定可能としてもよい。例えば、月曜日から金曜日では、解除時間帯を０時から１７時までと設定し、土曜日および日曜日は、解除時間帯を２時から８時までと設定できるようにしてもよい。このようにすれば、よりユーザの生活リズムに合わせた解除時間帯を設定することができる。
【００６５】
前記第１実施形態では、確認ダイアログ８（図５）は、視聴続行ならば操作キーの押下を促すメッセージを表示するとしたが、本発明では、これに加えて、続いて放映される番組の番組情報（放送終了時刻、タイトル、内容等）を表示してもよい。この場合、続いて放映される番組の番組情報は、番組テーブル記録領域６２１（図１）内の番組テーブルから取得される。
このようにすれば、ユーザは、続いて放映される番組の内容や放送終了時刻を基に、視聴を続けるか否かの判断を行うことができる。
【００６６】
前記第１実施形態では、現在時刻が、放映番組の放映終了時刻に達すると、確認ダイアログ８（図５）を表示するとした。これに対し、本発明では、放映番組の放映終了時刻１〜２分前に、確認ダイアログ８を表示するようにしてもよい。このようにすれば、放映番組の放映終了時刻１〜２分前は、ＣＭ放映中である場合が多いため、確認ダイアログ８の表示が、続いて放映される番組の放映開始と重なることはない。従って、確認ダイアログ８が、続いて放映される番組の冒頭、例えば、番組タイトル等を妨害することを防ぐことができる。
前記第２実施形態では、デジタルテレビジョン放送信号から抽出される番組フラグが新しく変わったことから番組の切換えを判断するとしたが、本発明では、付加データの１つである番組開始情報および番組終了情報を検出することにより、番組の切換えを判断してもよい。
【産業上の利用可能性】
【００６７】
本発明は、テレビジョン装置に利用することができる。
【図面の簡単な説明】
【００６８】
【図１】本発明の第１実施形態に係るテレビジョン装置の内部構成を示すブロック図。
【図２】前記実施形態に係るＣＰＵの機能的構成を示すブロック図。
【図３】前記実施形態に係る制御基板の作用を説明するためのフロー図。
【図４】前記実施形態に係る番組テーブルを説明するための模式図。
【図５】前記実施形態に係るディスプレイ上に表示された確認ダイアログを示す模式図。
【図６】本発明の第２実施形態に係るＣＰＵの機能的構成を示すブロック図。
【図７】前記実施形態に係る制御基板の作用を説明するためのフロー図。
【符号の説明】
【００６９】
１…テレビジョン装置、４…画像表示手段、６１３，６１７…番組終了検出部（番組終了検出手段）、６１３１…時刻チャンネル取得部、６１３２…放映終了時刻取得部、６１３３…タイマセット部（終了時刻判定部）、６１４…視聴確認規制部（視聴確認規制手段）、６１５…確認ダイアログ表示部（視聴確認入力手段）、６１６…電源遮断部（電源遮断手段）、６１７１…番組フラグ抽出部、６１７２…番組フラグ判定部、６３…チューナ（受信手段、電子番組情報受信手段）、６８…タイマ（計時手段）
【図１】
2007036557.tif 000003
【図２】
2007036557.tif 000004
【図３】
2007036557.tif 000005
【図４】
2007036557.tif 000006
【図５】
2007036557.tif 000007
【図６】
2007036557.tif 000008
【図７】
2007036557.tif 000009